【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
メディアコンテンツの項目を共有する方法であって、
第１のモバイルデバイスで、第１のロケーションを、前記メディアコンテンツの項目に関連付けるステップと、
前記メディアコンテンツの項目を、前記第１のモバイルデバイスから、第２のロケーションの第２のモバイルデバイスに、ネットワークを介して送信するステップと、
前記第２のモバイルデバイスのグラフィカルユーザインターフェース上に、前記第２のロケーションから前記第１のロケーションへのシミュレートされた旅行を表示するステップと、
前記第２のモバイルデバイスで、前記メディアコンテンツの項目を表示するステップと、
を含み、
前記第２のロケーションから前記第１のロケーションへの前記シミュレートされた旅行は、
マップを表示することと、
前記マップ上の前記第１のロケーション及び前記第２のロケーションを識別することと、
前記マップ上の前記第２のロケーションから前記第１のロケーションへの空中経路を計算することと、
前記第２のロケーションに基づいて、第１のアニメーション段階を生成及び表示し、前記マップ上の前記第２のロケーションからズームアウトすることを含むことと、
前記計算された経路に基づいて、第２のアニメーション段階を生成及び表示し、前記第２のロケーションと前記第１のロケーションとの間の前記経路をたどることを含むことと、
前記第１のロケーションに基づいて、第３のアニメーション段階を生成及び表示し、前記シミュレートされた旅行が予め定義されたシーケンスに従うように前記マップ上の前記第１のロケーションにズームインすることを含むことと、
を含む、
ことを特徴とする方法。
【請求項２】
更に、前記第２のモバイルデバイスに、前記メディアコンテンツの項目を見ることへの招待を送信するステップを含むことを特徴とする、請求項１に記載の方法。
【請求項３】
前記招待が受け入れられる場合、前記シミュレートされた旅行を表示するステップ及び前記メディアコンテンツの項目を送信するステップのみが行われることを特徴とする、請求項２に記載の方法。
【請求項４】
前記メディアコンテンツの項目は、テキスト、オーディオ、スチール画像、アニメーション、ビデオ映像、又はマルチメディアとすることができることを特徴とする、請求項１に記載の方法。
【請求項５】
前記第１のロケーションを前記メディアコンテンツの項目に関連付けるステップは、ジオタグを前記メディアコンテンツの項目に関連付けること、又は前記メディアコンテンツの項目に関連付けられる既存のジオタグを識別することを含むことができることを特徴とする、請求項１に記載の方法。
【請求項６】
前記第１のロケーションを前記メディアコンテンツの項目に関連付けるステップは、全地球測位システム（ＧＰＳ）座標を前記メディアコンテンツの項目に関連付けることを含むことができることを特徴とする、請求項１に記載の方法。
【請求項７】
１つ又はそれ以上のプロセッサを含む、メディアコンテンツの項目を共有するシステムであって、前記１つ又はそれ以上のプロセッサは、
第１のモバイルデバイスで、第１のロケーションを、前記メディアコンテンツの項目に関連付け、
前記メディアコンテンツの項目を、前記第１のモバイルデバイスから、第２のロケーションの第２のモバイルデバイスに送信し、
前記第２のモバイルデバイスのグラフィカルユーザインターフェース上に、前記第２のロケーションから前記第１のロケーションへのシミュレートされた旅行を表示し、
前記第２のモバイルデバイスで、前記メディアコンテンツの項目を表示する、
ように構成され、
前記第２のロケーションから前記第１のロケーションへの前記シミュレートされた旅行は、
マップを表示することと、
前記マップ上の前記第１のロケーション及び前記第２のロケーションを識別することと、
前記マップ上の前記第２のロケーションから前記第１のロケーションへの空中経路を計算することと、
前記第２のロケーションに基づいて、第１のアニメーション段階を生成及び表示し、前記マップ上の前記第２のロケーションからズームアウトすることを含むことと、
前記計算された経路に基づいて、第２のアニメーション段階を生成及び表示し、前記第２のロケーションと前記第１のロケーションとの間の前記経路をたどることを含むことと、
前記第１のロケーションに基づいて、第３のアニメーション段階を生成及び表示し、前記シミュレートされた旅行が予め定義されたシーケンスに従うように前記マップ上の前記第１のロケーションにズームインすることを含むことと、
を含む、
ことを特徴とするシステム。
【請求項８】
前記１つ又はそれ以上のプロセッサは、更に、前記第２のモバイルデバイスに、前記メディアコンテンツの項目を見ることへの招待を送信するように構成することができることを特徴とする、請求項７に記載のシステム。
【請求項９】
前記１つ又はそれ以上のプロセッサは、前記招待が受け入れられる場合、前記シミュレートされた旅行を表示し、前記メディアコンテンツの項目を送信することのみを行うように構成することができることを特徴とする、請求項８に記載のシステム。
【請求項１０】
前記メディアコンテンツの項目は、テキスト、オーディオ、スチール画像、アニメーション、ビデオ映像、又はマルチメディアとすることができることを特徴とする、請求項７に記載のシステム。
【請求項１１】
前記１つ又はそれ以上のプロセッサは、ジオタグを前記メディアコンテンツの項目に関連付けること、又は前記メディアコンテンツの項目に関連付けられる既存のジオタグを識別することによって、前記第１のロケーションを前記メディアコンテンツの項目に関連付けるように構成することができることを特徴とする、請求項７に記載のシステム。
【請求項１２】
前記１つ又はそれ以上のプロセッサは、全地球測位システム（ＧＰＳ）座標を前記メディアコンテンツの項目に関連付けることを含むことによって、前記第１のロケーションを前記メディアコンテンツの項目に関連付けるように構成することができることを特徴とする、請求項７に記載のシステム。
【請求項１３】
１つ又はそれ以上のプロセッサに、メディアコンテンツの項目を共有することを実行させるプログラムを記憶する非一時的コンピュータ可読媒体であって、前記メディアコンテンツの項目を共有することは、
プロセッサを用いて、第１のロケーションを前記メディアコンテンツの項目に関連付け、前記第１のロケーション及び前記メディアコンテンツの項目を、第１のモバイルデバイス上に位置するデータストアに記憶するステップと、
送信機を介して、前記メディアコンテンツの項目を、前記第１のモバイルデバイスから、第２のロケーションの第２のモバイルデバイスに、ネットワークを介して送信するステップと、
前記第２のモバイルデバイスのグラフィカルユーザインターフェース上に、前記第２のロケーションから前記第１のロケーションへのシミュレートされた旅行を表示するステップと、
前記第２のモバイルデバイスのスクリーン上に、前記メディアコンテンツの項目を表示するステップと、
を含み、
前記第２のロケーションから前記第１のロケーションへの前記シミュレートされた旅行は、
グラフィカルユーザインターフェース上に、マップを表示することと、
前記プロセッサを用いて、前記マップ上の前記第１のロケーション及び前記第２のロケーションを識別することと、
プロセッサを用いて、前記マップ上の前記第２のロケーションから前記第１のロケーションへの空中経路を計算することと、
プロセッサを用いて、前記第２のロケーションに基づいて、第１のアニメーション段階を生成し、スクリーン上に表示し、前記マップ上の前記第２のロケーションからズームアウトすることを含むことと、
プロセッサを用いて、前記計算された経路に基づいて、第２のアニメーション段階を生成し、スクリーン上に表示し、前記第２のロケーションと前記第１のロケーションとの間の前記経路をたどることを含むことと、
プロセッサを用いて、前記第１のロケーションに基づいて、第３のアニメーション段階を生成し、スクリーン上に表示し、前記シミュレートされた旅行が予め定義されたシーケンスに従うように前記マップ上の前記第１のロケーションにズームインすることを含むことと、
を含む、
ことを特徴とする非一時的コンピュータ可読媒体。
【請求項１４】
請求項１乃至６のいずれかに記載の方法を実行するためのモバイルデバイスの非一時的媒体に記憶されるコンピュータプログラム。
【請求項１５】
ソフトウェアを有する、請求項７乃至１２のいずれかに記載のシステムに用いられるモバイルデバイスであって、前記ソフトウェアは、
第２のロケーションで、メディアコンテンツの項目と、前記メディアコンテンツの項目に関連付けられる第１のロケーションとを受信し、
グラフィカルユーザインターフェース上に、前記第２のロケーションから前記第１のロケーションへのシミュレートされた旅行を表示し、
前記メディアコンテンツの項目を表示する、
ように構成され、
前記第２のロケーションから前記第１のロケーションへの前記シミュレートされた旅行は、
マップを表示することと、
前記マップ上の前記第１のロケーション及び前記第２のロケーションを識別することと、
前記マップ上の前記第２のロケーションから前記第１のロケーションへの空中経路を計算することと、
前記第２のロケーションに基づいて、第１のアニメーション段階を生成及び表示し、前記マップ上の前記第２のロケーションからズームアウトすることを含むことと、
前記計算された経路に基づいて、第２のアニメーション段階を生成及び表示し、前記第２のロケーションと前記第１のロケーションとの間の前記経路をたどることを含むことと、
前記第１のロケーションに基づいて、第３のアニメーション段階を生成及び表示し、前記シミュレートされた旅行が予め定義されたシーケンスに従うように前記マップ上の前記第１のロケーションにズームインすることを含むことと、
を含む、
ことを特徴とするモバイルデバイス。